(57)【要約】【課題】小型で、塵埃を効率的に捕集し、廃棄できるエアフィルタ清掃装置を提供する。【解決手段】エアフィルタ（図示せず）上の塵埃を吸引する吸込みノズル（図示せず）と連通する集塵ユニット１７を備え、集塵ユニット１７は、第１の接続孔１３ｃを有する隔壁１３ｂで仕切られて形成された上室１３ｊと下室１３ｋを有する吸引ケース１３と、上室１３ｊと連通し塵埃を吸引する吸引ファン２０と、下室１３ｋに着脱自在で、側壁にフィルタ１５ａを有する集塵ケース１５からなり、第１の接続孔１３ｃと吸込みノズルを連通するトンネル１３ｄを吸引ケース１３に設け、集塵ケース１５を下室１３ｋに装着したときに第１の接続孔１３ｃと対向する第２の接続孔１５ｂを集塵ケース１５の上部に設け、集塵ケース１５の外壁と吸引ケース１３の内壁の間に形成される空間５０と上室１３ｊとを連通する通風口１３ｆを隔壁１３ｂに設けた。【選択図】図４
2008170121.tif 000002
【特許請求の範囲】
【請求項１】
空気調和機に内蔵されたエアフィルタに付着した塵埃を吸引するための吸込みノズルと、前記吸込みノズルとダクトを介して接続された集塵ユニットを備え、前記集塵ユニットは、略中央に第１の接続孔を有する隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記第１の接続孔に連通し他端が前記ダクトに接続されるトンネルを前記吸引ケースに設け、前記集塵ケースを前記下室に装着したときに前記１の接続孔と対向する第２の接続孔を前記集塵ケースの上部に設け、前記集塵ケースの外壁と前記吸引ケースの内壁の間に形成される空間と前記上室とを連通する通風口を前記隔壁に設けたことを特徴とするエアフィルタ清掃装置。
【請求項２】
隔壁より、集塵ケースの外壁と吸引ケースの内壁の間に位置すると共に前記集塵ケースの周囲を囲む整流壁を垂下形成し、通風口を前記吸引ケースの内壁と前記整流壁との間に位置させたことを特徴とする請求項１に記載のエアフィルタ清掃装置。
【請求項３】
整流壁と吸引ケースの内壁間に形成される空間の容積と、前記整流壁と集塵ケースの外壁間に形成される空間の容積がほぼ等しくなる位置に前記整流壁を位置させたことを特徴とする請求項２に記載のエアフィルタ清掃装置。
【請求項４】
集塵ケースの下部に、吸引ケースの下方開口を塞ぐフランジを設け、整流壁の先端と前記フランジとの距離を、前記集塵ケースの高さの約３分の１としたことを特徴とする請求項２又は３に記載のエアフィルタ清掃装置。
【請求項５】
集塵ケースの上部に開閉自在の蓋を、下部外面に把手をそれぞれ設けたことを特徴とする請求項１〜４のいずれか１項に記載のエアフィルタ清掃装置。
【請求項６】
集塵ケースの吸引ケースへの装着を検知する装着検知手段を設けたことを特徴とする請求項１〜５のいずれか１項に記載のエアフィルタ清掃装置。
【請求項７】
集塵ケースの第２の接続孔の中心に設けた軸受けと、底面の径が前記第２の接続孔の径より大きい円錐体と該円錐体の頂点より上方に丸リブを形成したスライド蓋とを備え、丸リブを前記軸受けに下方より挿入し、前記丸リブの先端に締結した締結カバーと前記軸受けとの間にコイルばねを配し、前記コイルばねの付勢力により、前記第２の接続孔を前記円錐体で塞ぐことを特徴とする請求項１〜６のいずれか１項に記載のエアフィルタ清掃装置。
【請求項８】
空気調和機に内蔵されたエアフィルタに付着した塵埃を吸引するための吸込みノズルと、前記吸込みノズルとダクトを介して接続された集塵ユニットを備え、前記集塵ユニットは、隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記ダクトに接続されるトンネルを前記吸引ケースに設け、前記集塵ケースを前記下室に下方より装着し回転させた時に前記トンネルの他端に連通する第２の接続孔を前記集塵ケースの上部側壁に設け、前記集塵ケースの外壁と前記吸引ケースの内壁の間に形成される空間と前記上室とを連通する通風口を前記隔壁に設けたことを特徴とするエアフィルタ清掃装置。
【請求項９】
集塵ケースの第２の接続孔の上下に、Ｌ字型のガイダーを設け、該ガイダーをスライドし
、前記第２の接続孔を開閉する扉を配設し、該扉の一端にスライド方向に垂直な方向で且つ外方に突出した縦リブを配設し、前記集塵ケースを下室に挿入する時、前記縦リブの両側をガイドする２本のガイダーリブを設けたことを特徴とする請求項８に記載のエアフィルタ清掃装置。
【発明の詳細な説明】
【技術分野】
【０００１】
本発明は、空気調和機などの機器の空気吸入口に設けられたエアフィルタを清掃するエアフィルタ清掃装置に関するものである。
【背景技術】
【０００２】
従来のエアフィルタ清掃装置について、図１３を用いて説明する。図１３は、従来のエアフィルタ清掃装置の斜視図である。
【０００３】
図１３において、９は、従来のエアフィルタ清掃装置が搭載された空気調和機に内蔵され空気を熱交換する熱交換器で、その上流側には、吸入された空気に含まれる塵埃が空気調和機内部に入り込むのを防止するためエアフィルタ５が設けられている。そして、従来のエアフィルタ清掃装置は、ガイドレール４０上を移動しながらエアフィルタ５の前面に付着した塵埃を定期的に清掃する吸込みノズル６と、吸込みノズル６とダクト１８を介して接続された吸引ファン２０を備えており、吸込みノズル６を通して吸引した塵埃を室外に排出する構成となっている（例えば、特許文献１参照）。
【０００４】
一方、空気調和機の室内機で集塵された塵埃を、同室内機に接続された室外機に設けた集塵ボックス内に捕集するようにしたエアフィルタ清掃装置もある（例えば、特許文献２参照）。
【特許文献１】特開２００４−３５３９６６号公報
【特許文献２】特開２００４−３０１３６３号公報
【発明の開示】
【発明が解決しようとする課題】
【０００５】
しかしながら、上記特許文献１に記載されたエアフィルタ清掃装置は、室外に塵埃を排出する構成としているため、室内機の設置場所から室外までの距離が長くなれば、大きな能力の吸引ファンが必要となり、コストが大幅に増大するという課題があった。
【０００６】
また、上記特許文献２に記載されたエアフィルタ清掃装置は、塵埃を室外機まで移送して、室外機に設けた集塵ボックスで集塵するため、上記特許文献１に記載されたエアフィルタ清掃装置同様にコストの増大と吸引装置が大型になるという課題を有していた。
【０００７】
本発明は、上記従来の課題を解決するもので、小型の吸引装置を用いてコストを抑えながら、集塵ケースに塵埃を効率的に捕集し、且つ捕集した塵埃を簡単に捨てる事が出来るエアフィルタ清掃装置を提供することを目的とするものである。
【課題を解決するための手段】
【０００８】
上記従来の課題を解決するために、本発明のエアフィルタ清掃装置は、空気調和機に内蔵されたエアフィルタに付着した塵埃を吸引するための吸込みノズルと、前記吸込みノズルとダクトを介して接続された集塵ユニットを備え、前記集塵ユニットは、略中央に第１の接続孔を有する隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記第１の接続孔に連通し他端が前記ダクトに接続されるトンネルを前記吸引ケースに設け、前記集塵ケースを前記下室に装着したときに前記１の接続孔と対向する第２の接続孔を前記集塵ケースの上部に設け、前記集塵ケースの外壁と前記吸引ケースの内壁の間に形成される空間と前記上室とを連通する通風口を前記隔壁に設けたもので、
集塵ケースの上部にエアフィルタで補集した塵埃を吸引するための第２の接続孔を設け、集塵ケースと吸引ケースの間に空間を設けた事により、塵埃は集塵ケースの下側から堆積し、空気の流れを堆積した塵埃で妨害される事無く効率よく集塵する事が出来る。且つ集塵ケースを着脱自在としたことにより捕集した塵埃を容易に捨てることが出来る。
【０００９】
また、本発明のエアフィルタ清掃装置は、空気調和機に内蔵されたエアフィルタに付着した塵埃を吸引するための吸込みノズルと、前記吸込みノズルとダクトを介して接続された集塵ユニットを備え、前記集塵ユニットは、隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記ダクトに接続されるトンネルを前記吸引ケースに設け、前記集塵ケースを前記下室に下方より装着し回転させた時に前記トンネルの他端に連通する第２の接続孔を前記集塵ケースの上部側壁に設け、前記集塵ケースの外壁と前記吸引ケースの内壁の間に形成される空間と前記上室とを連通する通風口を前記隔壁に設けたもので、集塵ケースの側壁にダクトと連通する第２の接続孔を設ける事により、上部に第２の接続孔を設けた時よりも、通風路を短くすることが出来、第２の接続孔での抵抗を低減する事が出来る。又、吸引ケースに挿入し、集塵ケースを回転させる事により確実に集塵ケースを吸引ケースに取り付ける事が出来る。
【発明の効果】
【００１０】
本発明のエアフィルタ清掃装置によれば、吸引装置を小型化することによりコストを抑え、集塵ケースに塵埃を効率的に捕集し、且つ捕集した塵埃を簡単に捨てる事が出来る。
【発明を実施するための最良の形態】
【００１１】
第１の発明は、空気調和機に内蔵されたエアフィルタに付着した塵埃を吸引するための吸込みノズルと、前記吸込みノズルとダクトを介して接続された集塵ユニットを備え、前記集塵ユニットは、略中央に第１の接続孔を有する隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記第１の接続孔に連通し他端が前記ダクトに接続されるトンネルを前記吸引ケースに設け、前記集塵ケースを前記下室に装着したときに前記１の接続孔と対向する第２の接続孔を前記集塵ケースの上部に設け、前記集塵ケースの外壁と前記吸引ケースの内壁の間に形成される空間と前記上室とを連通する通風口を前記隔壁に設けたもので、集塵ケースの上部にエアフィルタで補集した塵埃を吸引するための第２の接続孔を設け、集塵ケースと吸引ケースの間に空間を設けた事により、塵埃は集塵ケースの下側から堆積し、空気の流れを堆積した塵埃で妨害される事無く効率よく集塵する事が出来る。且つ集塵ケースを着脱自在としたことにより捕集した塵埃を容易に捨てることが出来る。
【００１２】
第２の発明は、特に、第１の発明の隔壁より、集塵ケースの外壁と吸引ケースの内壁の間に位置すると共に前記集塵ケースの周囲を囲む整流壁を垂下形成し、通風口を前記吸引ケースの内壁と前記整流壁との間に位置させたもので、集塵ケースの上部から入った空気は、整流壁の下部から吸引ファン側に流れるため、空気に含まれる塵埃は集塵ケースの下部より堆積し、集塵ケースが塵埃でいっぱいになるまで集塵ケースのフィルタの目詰まりを防止する事が出来る。
【００１３】
第３の発明は、特に、第２の発明の整流壁と吸引ケースの内壁間に形成される空間の容積と、前記整流壁と集塵ケースの外壁間に形成される空間の容積がほぼ等しくなる位置に前記整流壁を位置させたもので、整流壁の内側と外側で容積をほぼ等しくする事により、集塵ケースに塵埃が集積してきた場合でも、整流壁の内側と外側風速に変化が無く、スム
ーズに空気が流れ騒音の発生も抑えることが出来る。
【００１４】
第４の発明は、特に、第２又は第３の発明の集塵ケースの下部に、吸引ケースの下方開口を塞ぐフランジを設け、整流壁の先端と前記フランジとの距離を、前記集塵ケースの高さの約３分の１としたもので、整流壁の高さの差による空気抵抗の増加、集塵ケースのフィルタの目詰まりによる空気抵抗の増加の兼ね合いより集塵ケースのフランジとの距離が集塵ケースの高さの約３分の１となる近辺で最良の状態とする事が出来る。
【００１５】
第５の発明は、特に、第１〜４のいずれか一つの発明の集塵ケースの上部に開閉自在の蓋を、下部外面に把手をそれぞれ設けたもので、把手を握って集塵ケースを吸引ケースから簡単に取り外す事が出来、また、蓋を開き簡単に塵埃を捨てる事が出来る。
【００１６】
第６の発明は、特に、第１〜５のいずれか一つの発明の集塵ケースの吸引ケースへの装着を検知する装着検知手段を設けたもので、例えば、装着検知手段が動作したときに吸引ファンが動作しないようにすれば、集塵ケースを取り付けないでエアフィルタ清掃装置が働くことを防止することができる。
【００１７】
第７の発明は、特に、第１〜６のいずれか一つの発明の集塵ケースの第２の接続孔の中心に設けた軸受けと、底面の径が前記第２の接続孔の径より大きい円錐体と該円錐体の頂点より上方に丸リブを形成したスライド蓋とを備え、丸リブを前記軸受けに下方より挿入し、前記丸リブの先端に締結した締結カバーと前記軸受けとの間にコイルばねを配し、前記コイルばねの付勢力により、前記第２の接続孔を前記円錐体で塞ぐもので、集塵ケースを取外した時に集塵ケースに集積された塵埃が、第２の接続孔から外にこぼれ落ちるのを防止することが出来る。
【００１８】
第８の発明は、空気調和機に内蔵されたエアフィルタに付着した塵埃を吸引するための吸込みノズルと、前記吸込みノズルとダクトを介して接続された集塵ユニットを備え、前記集塵ユニットは、隔壁で仕切られて上下に２室を有する吸引ケースと、前記吸引ケースの上室と連通すると共に塵埃を吸引するための吸引ファンと、前記吸引ケースの下室に下方より着脱自在に装着されると共に、側壁に塵埃を捕捉するフィルタを有する集塵ケースからなり、一端が前記ダクトに接続されるトンネルを前記吸引ケースに設け、前記集塵ケースを前記下室に下方より装着し回転させた時に前記トンネルの他端に連通する第２の接続孔を前記集塵ケースの上部側壁に設け、前記集塵ケースの外壁と前記吸引ケースの内壁の間に形成される空間と前記上室とを連通する通風口を前記隔壁に設けたもので、集塵ケースの側壁にダクトと連通する第２の接続孔を設ける事により、上部に第２の接続孔を設けた時よりも、通風路を短くすることが出来、第２の接続孔での抵抗を低減する事が出来る。又、吸引ケースに挿入し、集塵ケースを回転させる事により確実に集塵ケースを吸引ケースに取り付ける事が出来る。
【００１９】
第９の発明は、特に、第８の発明の集塵ケースの第２の接続孔の上下に、Ｌ字型のガイダーを設け、該ガイダーをスライドし、前記第２の接続孔を開閉する扉を配設し、該扉の一端にスライド方向に垂直な方向で且つ外方に突出した縦リブを配設し、前記集塵ケースを下室に挿入する時、前記縦リブの両側をガイドする２本のガイダーリブを設けたもので、集塵ケースを吸引ケースから取り出した時は、扉が閉まり塵埃が洩れるのを防止でき、集塵ケースを吸引ケースに挿入して回転させると、扉が自動的に開き、吸引動作に支障をきたすことが無い。
【００２０】
以下、本発明の実施の形態について、図面を参照しながら説明する。なお、本実施の形態によって本発明が限定されるものではない。
【００２１】
（実施の形態１）
以下に、本発明の第１の実施の形態におけるエアフィルタ清掃装置について、それを天井埋め込み型の空気調和機に搭載した例を用いて説明する。
【００２２】
図１は、本実施の形態におけるエアフィルタ清掃装置を搭載した空気調和機の断面図、図２は、同空気調和機の分解斜視図、図３は、同エアフィルタ清掃装置の集塵ユニットの斜視図、図４は、同集塵ユニットの断面図である。
【００２３】
図１〜図４において、室内の空気は、空気調和機の内部に配設したファンモータ１１の駆動でファン１０が回転することにより、前面グリル１に設けた吸込みグリル６、円盤状のエアフィルタ５、エアガイダー４を通過し、熱交換器９で熱交換され、吹き出し口１９から吹き出される。この間、空気に混在する塵埃は、エアフィルタ５に付着し空気調和機の内部に塵埃が侵入しない構造となっている。２は、吹き出し口１９から吹き出される空気の向きを変更する風向変更羽根、３は、熱交換器９で発生する凝縮水を受けるドレンパン、８は、筐体７の内面に施された断熱材である。
【００２４】
エアフィルタ５は、図２に示すようにトレイ１６上にあり、エアフィルタ５のフレーム５ｂの外周部には歯車５ａが形成され、トレイ１６に形成された回転軸（図示せず）を中心として、歯車５ａに噛み合う駆動ユニット１４の歯車１４ａにて回転する構造となっている。
【００２５】
吸込みノズル１２は、エアフィルタ５の前面側に対峙するよう配置されたスリット状の吸込み口１２ａを備えると共に、ダクト１８を介して集塵ユニット１７に接続されている。
【００２６】
集塵ユニット１７は、塵埃を吸引するための吸引ファン２０と、該ファン２０を駆動するモータ２１と、筒状で塵埃を捕集する集塵ケース１５と、吸引ファン２０、モータ２１と集塵ケース１５を固定する吸引ケース１３から構成されている。
【００２７】
吸引ケース１３は、筒状で、隔壁１３ｂで仕切って、上下に、上室１３ｊ、下室１３ｋの２室を備え、上部の側壁に、ダクト１８と接続される接続口１３ａを有し、接続口１３ａと上下２室を隔てる隔壁１３ｂの略中央に設けた第１の接続孔１３ｃがトンネル１３ｄで連通している。吸引ケース１３の上室１３ｊの上部には、上室１３ｊと連通する吸引ファン２０と、吸引ファン２０を回転駆動するモータ２１が設置されている。また、下室１３ｋには、下方より集塵ケース１５が装着される。
【００２８】
集塵ケース１５は、筒状で、側面にネット状のフィルタ１５ａが形成され、天面には、吸引ケース１３の第１の接続孔１３ｃと対峙する位置に第２の接続孔１５ｂを有している。集塵ケース１５の底面は、円盤状でフィルタ１５ａの筒径よりも大きな径で、フィルタ１５ａと接合された径の大きな部分がフランジ１５ｃを成している。フランジ１５ｃには、数個の可撓性に富んだ爪１５ｄが立設し、吸引ケース１３に設けた嵌合穴１３ｅに嵌合し、集塵ケース１５が吸引ケース１３に着脱自在に取り付ける事が出来るようになっている。そして、集塵ケース１５を吸引ケース１３に取り付けたときに、フランジ１５ｃにより、下室１３ｋの下方開口が塞がれるようになっている。
【００２９】
吸引ケース１３の内側壁と集塵ケース１５の外側壁の間には空間５０を有しており、その空間５０の上部に位置する吸引ケース１３の隔壁１３ｂには、吸引ケース１３の上室１３ｊと下室１３ｋを連通する通風口１３ｆが設けてある。
【００３０】
上記のように構成されたエアフィルタ清掃装置及び空気調和機の動作、作用は以下の通
りである。
【００３１】
電子制御装置（図示せず）よりエアフィルタ５の清掃が指示されると、モータ２１の駆動により吸引ファン２０が回転し吸引力が発生すると同時に、駆動ユニット１４にてエアフィルタ５がトレイ１６上を回転を始め、エアフィルタ５に付着した塵埃を吸込みノズル１２で吸込み、塵埃は、吸込みノズル１２に接続されたダクト１８を通過し、吸引ケース１３の接続口１３ａに至り、集塵ケース１５の第２の接続孔１５ｂから集塵ケース１５内に入り、そこで捕集される。
【００３２】
そしてきれいになった空気は、図４の矢印に示すように流れ、集塵ケース１５のフィルタ１５ａを通過し、隔壁１３ｂの通風口１３ｆから吸引ファン２０に至り、空気調和機の筐体７の天面又は側面に設けた孔（図示せず）より天井内に抜ける。
【００３３】
以上のように、本実施の形態によれば、集塵ケース１５の上部に第２の接続孔１５ｂを設け、側壁の部分にフィルタ１５ａを設け、フィルタ１５ａ上部に通風口１３ｆを設けた事により、集塵ケース１５内に吸引された塵埃は、集塵ケース１５の下部から堆積し、塵埃が多く堆積しても空気の流れは、図４の矢印のように流れ、抵抗となるものが無く吸引力の低下を防止する事が出来る。又、塵埃の量を通風抵抗の増加により検出するような場合にも早動作する事が無く有効である。
【００３４】
吸引ケース１３は、吸込みグリル６の投影面積の中にあり、集塵ケース１５に捕集された塵埃を捨てる時は、吸込みグリル６を開き、集塵ケース１５のフランジ１５ｃ部を引く事により、爪１５ｄが外れ取り出す事が出来、第２の接続孔１５ｂより塵埃を捨てる事が出来る。又、集塵ケース１５を、吸引ケース１３に取り付けると、吸引ケース１３に設置した装着検知手段であるリミットスイッチ２２が働き、集塵ケース１５が吸引ケース１３に取り付けられていることを判断すると共に、集塵ケース１５が取り付けられていない状態で、フィルタ清掃装置が働く事を防止している。
【００３５】
図５は、集塵ユニット１７の吸引ケース１３の他の例を示すもので、吸引ケース１３の内壁と集塵ケース１５の外壁で作る空間に、吸引ケース１３の隔壁１３ｂより、集塵ケース１５のフランジ１５ｃに向かって、集塵ケース１５を囲むように整流壁１３ｇが垂下形成され、整流壁１３ｇと吸引ケース１３の内壁で作る空間５０ａの上部に位置する隔壁１３ｂに、吸引ケース１３の上室１３ｊと下室１３ｋを連通する通風口１３ｈを設けたものである。これにより風の流れは、図５の矢印に示すようになる。
【００３６】
整流壁１３ｇを設けない時は、風は集塵ケース１５の上部だけを流れ、捕集された塵埃の内、集塵ケース１５の底部に落下せず、フィルタ１５ａに付着するものも有り通風抵抗が増大して行くが、整流壁１３ｇを設ける事により、整流壁１３ｇの長さに相当するフィルタ１５ａの部分で空気が流れ通風抵抗の増大が緩和される。
【００３７】
又、整流壁１３ｇと吸引ケース１３の内壁で作る空間５０ａの容積と、整流壁１３ｇと集塵ケース１５の外壁で作る空間５０ｂの容積がほぼ等しくなる位置に整流壁１３ｇを設置するようにすれば、集塵ケース１５に塵埃が堆積してきた場合でも、整流壁１３ｇの内側と外側風速に変化が少なく、スムーズに空気が流れ騒音の発生も抑えることが出来る。更に、整流壁１３ｇの高さの差による空気抵抗の増加、集塵ケース１５のフィルタ１５ａの目詰まりによる空気抵抗の増加の兼ね合いより、整流壁１３ｇの高さを、集塵ケース１５の高さの約３分の１近辺にすることで、最良の状態とする事が出来る。
【００３８】
図６は、集塵ケース１５の他の例を示すもので、集塵ケース１５の上部の壁を分離し蓋２３を設け、その蓋２３を、ピン２４により集塵ケース１５に回転自在に取り付け、中央
部には第２の接続孔２３ａを設け、可撓性の爪２３ｂで集塵ケース１５に固定するようにしたものである。一方集塵ケース１５の底部には取手１５ｅを設けている。取手１５ｅを設けたことにより集塵ケース１５を簡単に取り外す事が出来、また、蓋２３を開き、簡単に塵埃を捨てる事が出来る。
【００３９】
更に、図７に示すように集塵ケース１５に設けた開閉自在な蓋２３の第２の接続孔２３ａにスライド蓋２５を設けても良い。スライド蓋２５は、図８に示すように、底面の径が蓋２３の第２の接続孔２３ａの径より大きい円錐体２５ａの頂点より上方に丸リブ２５ｂを形成し、蓋２３の第２の接続孔２３ａに形成した軸受け２３ｃに、蓋２３の内側より挿入し、スライド蓋２５の丸リブ２５ｂの先端に締結カバー２５ｃを締結し、軸受け２３ｃと締結カバー２５ｃの間にコイルバネ２６を配し、集塵ケース１５を吸引ケース１３より取り出した状態で、コイルバネ２６の付勢力の働きにより、蓋２３の第２の接続孔２３ａをスライド蓋２５の円錐体２５ｂで塞ぐ構成となっている。
【００４０】
そして、図９に示すように、集塵ケース１５が吸引ケース１３に取り付けられた状態では締結カバー２５ｃが吸引ケース１３のトンネル１３ｄの天井に当たり、スライド蓋２５を押し下げ塵埃を含んだ空気が通過する通路を形成する。この時、コイルバネ２６は、圧縮され締結カバー２５ｃの中に収納され、通過する塵埃がコイルバネ２６に付着して、コイルバネ２６が圧縮されなくなるのを防止している。
【００４１】
このように、スライド蓋２５を配することにより、集塵ケース１５を取外した時に集塵ケース１５に集積された塵埃が外にこぼれ落ちるのを防止することが出来る。
【００４２】
（実施の形態２）
図１０は、本発明の第２の実施の形態におけるエアフィルタ清掃装置の集塵ケースの斜視図、図１１は、同エアフィルタ清掃装置の集塵ユニットの斜視図、図１２は、同エアフィルタ清掃装置の吸引ケースの下部斜視図である。なお、上記第１の実施の形態と同一部分については、同一符号を用いて、その説明を省略する。
【００４３】
上記第１の実施の形態では、塵埃を吸込む第２の接続孔を集塵ケースの天面に設けたが、本実施の形態では、その第２の接続孔を集塵ケースの側壁に設けたもので、以下に、相違点を説明する。
【００４４】
図１０、図１１において、集塵ケース２７は、筒状で、天部に開閉自在の蓋２８を有し、塵埃を吸引するための第２の接続孔２７ａを上方部側壁に設け、下部のフランジ２７ｂには吸引ケース２９と結合するための爪２７ｃを有している。
【００４５】
吸引ケース２９は、筒状で、上下方向に上室２９ｊと下室２９ｋから成り、上室２９ｊの上部には、吸引ファン２０が設置され、下室２９ｋの上方側面で、集塵ケース２７を吸引ケース２９に取り付けた時、集塵ケース２７の第２の接続孔２７ａと対峙する位置に、第２の接続孔２７ａに連通するトンネル２９ａを有している。またトンネル２９ａは、ダクト１８が接続される接続口２９ｆを備えている。
【００４６】
爪２７ｃは、吸引ケース２９の内壁に対峙する縦リブ２７ｄとその縦リブ２７ｄの外側壁より突出した円筒２７ｅから成り、一方、吸引ケース２９には、図１２に示すように、円筒２７ｅの径より若干大き目の幅寸法を持つ溝２９ｂが、吸引ケース２９の下部から上方向に設けられ、集塵ケース２７を吸引ケース２９に取り付けた時、円筒２７ｅが対峙する位置より横方向に設けられている。更に、横方向の溝の先端には凸部２９ｃが設けられている。
【００４７】
これにより、集塵ケース２７を吸引ケース２９に取り付ける時は、まず、集塵ケース２７の爪２７ｃの円筒部２７ｅを吸引ケース２９の溝２９ｂの縦の部分に挿入した後、円周方向に回転させ、円筒部２７ｅが凸部２９Ｃを乗り越えたところで固定される。固定された時点で、集塵ケース２７の第２の接続孔２７ａは、吸引ケース２９のトンネル２９ａに対峙する位置になるよう設定されている。
【００４８】
以上のように、本実施の形態によれば、上記第１の実施の形態では、フランジ１５ｃの爪１５ｄ（図３参照）が可撓性で有り爪１５ｄの強度をあまり上げる事が出来なかったが、本実施の形態では、爪１５ｄの可撓性によらず強度を強化し横にスライドして、円筒部２７ｅを溝２９ｂに固定する事により、より確実に固定する事が出来る。又、側壁にダクト１８が接続される接続口２９ｆを直接設けたことにより、トンネル２９ａの部分を少しでも短くすることが出来、空気抵抗の低減を図ることが出来る。
【００４９】
また、本実施の形態では、図１０、図１１に示すように、集塵ケース２７の上方部側壁に設けた第２の接続孔２７ａの上下に、Ｌ字型のガイダー２７ｆを設け、該ガイダー２７ｆをガイドとしてスライドし、第２の接続孔２７ａを塞ぐ面積を有し、第２の接続孔２７ａを開閉する扉３０を配設している。
【００５０】
扉３０の一端には、スライド方向に垂直な方向で集塵ケース２７の外側の方向に突出した縦リブ３０ａを有している。
【００５１】
一方吸引ケース２９の内壁には、吸引ケース２９の下部よりトンネル２９ａの上面の高さまで達する２本のリブ２９ｄを設けている。２本のリブ２９ｄの間隔は、扉３０の縦リブ３０ａの厚みを若干上回るものであり、集塵ケース２７を吸引ケース２９の下部より挿入する時、扉３０は、集塵ケース２７の第２の接続孔２７ａを閉じた状態で、集塵ケース２７が吸引ケース２９に取り付けられる間、縦リブ３０ａは、２本のリブ２９ｄの間をスライドし、集塵ケース２７の上部の蓋２８が、吸引ケース２９の隔壁２９ｅに突き当たった時点で、集塵ケース２７を回転させて、吸引ケース２９に固定する時、扉３０は、２本のリブ２９ｄで回転方向に固定されているので、集塵ケース２７のみが回転することになり、集塵ケース２７の第２の接続孔２７ａが開かれ、トンネル２９ａと対峙する。
【００５２】
これにより、集塵ケース２７を、吸引ケース２９から取り出した時は、扉３０が閉じられ、収納した時には開く動作が自動的に行える。
【産業上の利用可能性】
【００５３】
本発明のエアフィルタ清掃装置は、吸引装置を小型化し、集塵ケースに塵埃を効率的に捕集し、容易に補集下塵埃を捨てることができ、エアフィルタを有する機器の用途に適用できる。
【図面の簡単な説明】
【００５４】
【図１】本発明の実施の形態１におけるエアフィルタ清掃装置を搭載した空気調和機の断面図
【図２】同空気調和機の分解斜視図
【図３】同エアフィルタ清掃装置の集塵ユニットの斜視図
【図４】同集塵ユニットの断面図
【図５】同エアフィルタ清掃装置の集塵ユニットの他の例を示す断面図
【図６】同エアフィルタ清掃装置の集塵ケースの他の例を示す正面図
【図７】同エアフィルタ清掃装置の集塵ケースの他の例を示す斜視図
【図８】同集塵ケースの半断面図
【図９】同集塵ケースの断面図
【図１０】本発明の実施の形態２におけるエアフィルタ清掃装置の集塵ケースの斜視図
【図１１】同エアフィルタ清掃装置の集塵ユニットの斜視図
【図１２】同エアフィルタ清掃装置の吸引ケースの下部斜視図
【図１３】従来のエアフィルタ清掃装置の斜視図
【符号の説明】
【００５５】
１  前面グリル
２  風向変更羽根
３  ドレンパン
４  エアガイダー
５  エアフィルタ
５ａ  歯車
６  吸込みグリル
７  筐体
８  断熱材
９  熱交換器
１０  ファン
１１  ファンモータ
１２  吸引ノズル
１２ａ  吸込み口
１３、２９  吸引ケース
１３ａ  接続口
１３ｂ、２９ｅ  隔壁
１３ｃ  第１の接続孔
１３ｄ  トンネル
１３ｅ  嵌合穴
１３ｆ、１３ｈ  通風口
１３ｇ  整流壁
１３ｊ、２９ｊ  上室
１３ｋ、２９ｋ  下室
１４  駆動ユニット
１５、２７  集塵ケース
１５ａ  フィルタ
１５ｂ、２３ａ、２７ａ  第２の接続孔
１５ｃ、２７ｂ  フランジ
１５ｄ  爪
１５ｅ  取手
１６  トレイ
１７  集塵ユニット
１８  ダクト
１９  吹出し口
２０  吸引ファン
２１  モータ
２２  リミットスイッチ（装着検知手段）
２３  蓋
２３ｂ  爪
２３ｃ  軸受け
２４  ピン
２５  スライド蓋
２５ａ  円錐体
２５ｂ  丸リブ
２５ｃ  締結カバー
２６  コイルバネ
２７ｃ  爪
２７ｄ  縦リブ
２７ｅ  円筒
２７ｆ  ガイダー
２８  蓋
２９ａ  トンネル
２９ｂ  溝
２９ｃ  凸部
２９ｄ  リブ
３０  扉
３０ａ  縦リブ
５０、５０ａ、５０ｂ  空間
【図１】
2008170121.tif 000003
【図２】
2008170121.tif 000004
【図３】
2008170121.tif 000005
【図４】
2008170121.tif 000006
【図５】
2008170121.tif 000007
【図６】
2008170121.tif 000008
【図７】
2008170121.tif 000009
【図８】
2008170121.tif 000010
【図９】
2008170121.tif 000011
【図１０】
2008170121.tif 000012
【図１１】
2008170121.tif 000013
【図１２】
2008170121.tif 000014
【図１３】
2008170121.tif 000015